(57)【特許請求の範囲】
【請求項１】
乗物の床面上に取り付けられるベースフレームと、座当てと、背当てとを備え、
前記背当ては、その使用位置と、前記座当て側に折畳まれる折畳み位置との間を移動可能となるようにして、前記座当てに取り付けられ、
前記座当ては、その使用位置と、前記背当てとともに一方側に折畳まれる折畳み位置との間を移動可能となるようにして、前記ベースフレームに取り付けられて、
前記背当てをその使用位置にてロックする、背当て使用位置ロック手段と、そのロックを解除する、背当て使用位置ロック解除手段とを備えるとともに、
前記座当てをその使用位置にてロックする、座当て使用位置ロック手段と、そのロックを解除する、座当て使用位置ロック解除手段とを備え、
前記背当て使用位置ロック解除手段と前記座当て使用位置ロック解除手段とは、ロック解除のための共通の操作部を有し、その操作部を一側に操作することで、前記背当ておよび前記座当ての両者の、使用位置のロックが解除されることを特徴とする、乗物用の折畳みシート。
【請求項２】
請求項１に記載の折畳みシートにおいて、
前記座当てをその折畳み位置にてロックする、座当て折畳み位置ロック手段と、そのロックを解除する、座当て折畳み位置ロック解除手段とを備え、
前記操作部は、前記座当て折畳み位置ロック解除手段における、ロック解除のための操作部となって、その操作部を前記一側に操作することで、前記座当ての、折畳み位置のロックが解除されることを特徴とする、乗物用の折畳みシート。
【請求項３】
請求項２に記載の折畳みシートにおいて、
前記背当てをその折畳み位置にてロックする、背当て折畳み位置ロック手段と、そのロックを解除する、背当て折畳み位置ロック解除手段とを備え、
前記操作部は、前記背当て折畳み位置ロック解除手段における、ロック解除のための操作部となって、その操作部を前記一側に操作することで、前記背当ての、折畳み位置のロックが解除されることを特徴とする、乗物用の折畳みシート。
【請求項４】
請求項２または３に記載の折畳みシートにおいて、
前記座当てを、その使用位置および折畳み位置に付勢する付勢手段を備え、
前記付勢手段は、前記ベースフレーム側に、第１の軸心回りに回動可能に取り付けられた第１のリンク部材と、前記座当て側に、第２の軸心回りに回動可能に取り付けられるとともに前記第１のリンク部材にスライド可能に取り付けられた第２のリンク部材と、前記第１の軸心と前記第２の軸心とが互いに離れるように付勢する付勢部材とからなり、
前記第１の軸心と前記第２の軸心とは、前記座当てが、その使用位置と折畳み位置との間の、所定の中間位置にて最も近づき、前記座当てが、前記中間位置から、前記座当ての使用位置および折畳み位置に向かうに連れて、遠ざかることを特徴とする、乗物用の折畳みシート。
【請求項５】
請求項４に記載の折畳みシートにおいて、
前記座当て折畳み位置ロック手段は、前記第１および第２のリンク部材と、前記第１または第２のリンク部材に設けられた第１の被係止部と、前記座当てをその折畳み位置にロックするよう、前記座当ての折畳み位置における前記第１の被係止部を係止する第１の係止位置とその係止を解除する第１の解除位置との間を移動可能な第１の係止部材と、その第１の係止部材を前記第１の係止位置に移動させる第１の係止位置移動手段とからなり、
前記座当て折畳み位置ロック解除手段は、前記操作部を前記一側に操作することで、前記第１の係止部材を、前記第１の係止位置から前記第１の解除位置に移動させることを特徴とする、乗物用の折畳みシート。
【請求項６】
請求項１ないし５のいずれか１項に記載の折畳みシートにおいて、
前記座当て使用位置ロック手段は、前記ベースフレーム側に設けられた案内部と、前記座当て側に回動可能に取り付けられた第３のリンク部材と、その第３のリンク部材に設けられて前記案内部にスライドおよび回動可能に係合する被案内部と、前記第３のリンク部材に設けられた第２の被係止部と、前記座当てをその使用位置にロックするよう、前記座当ての使用位置における前記第２の被係止部を係止する第２の係止位置とその係止を解除する第２の解除位置との間を移動可能な第２の係止部材と、その第２の係止部材を前記第２の係止位置に移動させる第２の係止位置移動手段とからなり、
前記座当て使用位置ロック解除手段は、前記操作部を前記一側に操作することで、前記第２の係止部材を、前記第２の係止位置から前記第２の解除位置に移動させることを特徴とする、乗物用の折畳みシート。
【請求項７】
請求項４または５に記載の折畳みシートにおいて、
前記座当て使用位置ロック手段は、前記第１および第２のリンク部材と、前記第１または第２のリンク部材に設けられた被係止部と、前記座当てをその使用位置にロックするよう、前記座当ての使用位置における前記被係止部を係止する係止位置とその係止を解除する解除位置との間を移動可能な係止部材と、その係止部材を前記係止位置に移動させる係止位置移動手段とからなり、
前記座当て使用位置ロック解除手段は、前記操作部を前記一側に操作することで、前記係止部材を、前記係止位置から前記解除位置に移動させることを特徴とする、乗物用の折畳みシート。
【請求項８】
請求項１ないし７のいずれか１項に記載の折畳みシートにおいて、
前記操作部は、ペダルからなることを特徴とする、乗物用の折畳みシート。
【発明の詳細な説明】
【０００１】
【発明の属する技術分野】
この発明は、背当ておよび座当てが折畳まれる乗物用の折畳みシートに関するものである。
【０００２】
【従来の技術】
従来、バスその他の乗物内において、例えば、車椅子用のスペースを確保したり、ラッシュ時における乗車人員を確保したりするために、背当ておよび座当てを折畳むことができる折畳みシートが提案されていた。この折畳みシートは、背当てが、その使用位置と、座当て側に折畳まれる折畳み位置との間を移動可能となるよう、座当てに回動可能に取り付けられていた。そして、座当ては、その使用位置と、背当てとともに、例えば乗物の壁面側に折畳まれる折畳み位置との間を移動可能となるよう、ベースフレームに回動可能に取り付けられていた。さらに、この折畳みシートは、背当ておよび座当てを、それらの使用位置や折畳み位置にロックするロック手段、およびそのロックを解除するロック解除手段を備えていた。そして、このロック解除手段においては、背当て側と、座当て側とでは、別々の操作レバーが使用されていた。
【０００３】
【発明が解決しようとする課題】
ところで、前記従来の折畳みシートにあっては、ロック解除手段における操作レバーが、背当て側と座当て側とで、異なっていたため、例えば、この折畳みシートを折畳む場合には、始めに、背当て側の操作レバーを操作することでそのロックを解除して、背当てを折畳み、次いで、座当て側の操作レバーを操作することでそのロックを解除して、座当てを折畳まなければならなかった。このように、従来の折畳みシートにおいては、背当て側のロック解除と座当て側のロック解除とでは、別々の操作レバーを操作しなければならず、その操作が面倒であるのみならず、背当て側の操作レバーと座当て側の操作レバーとを誤って操作する虞があり、この折畳みシートを折畳むにあたっての作業性が良くなかった。
【０００４】
この発明は、上記した従来の欠点を解決するためになされたものであり、その目的とするところは、背当ておよび座当てがロックされるにも拘らず、簡単に折畳むことができる乗物用の折畳みシートを提供することにある。
【０００５】
【課題を解決するための手段】
この発明に係る乗物用の折畳みシートは、前記目的を達成するために、次の構成からなる。すなわち、
請求項１に記載の発明に係る乗物用の折畳みシートは、乗物の床面上に取り付けられるベースフレームと、座当てと、背当てとを備える。前記背当ては、その使用位置と、前記座当て側に折畳まれる折畳み位置との間を移動可能となるようにして、前記座当てに取り付けられる。一方、前記座当ては、その使用位置と、前記背当てとともに一方側に折畳まれる折畳み位置との間を移動可能となるようにして、前記ベースフレームに取り付けられる。そして、この折畳みシートは、前記背当てをその使用位置にてロックする、背当て使用位置ロック手段と、そのロックを解除する、背当て使用位置ロック解除手段とを備えるとともに、前記座当てをその使用位置にてロックする、座当て使用位置ロック手段と、そのロックを解除する、座当て使用位置ロック解除手段とを備える。ここで、前記背当て使用位置ロック解除手段と前記座当て使用位置ロック解除手段とは、ロック解除のための共通の操作部を有し、その操作部を一側に操作することで、前記背当ておよび前記座当ての両者の、使用位置のロックが解除される。
【０００６】
これにより、この折畳みシートを折畳むには、始めに、操作部を一側に操作することで、背当ておよび座当ての両者の、使用位置のロックを解除する。そして、この使用位置のロックが解除された状態で、背当てを座当て側に折畳み、次いで、座当てを背当てとともに一方側に折畳む。このように、操作部を一側に操作することで、この折畳みシートの背当ておよび座当ての両者を折畳むことができる。
【０００７】
また、請求項２に記載の発明に係る乗物用の折畳みシートのように、請求項１に記載の折畳みシートにおいて、前記座当てをその折畳み位置にてロックする、座当て折畳み位置ロック手段と、そのロックを解除する、座当て折畳み位置ロック解除手段とを備え、前記操作部は、前記座当て折畳み位置ロック解除手段における、ロック解除のための操作部となって、その操作部を前記一側に操作することで、前記座当ての、折畳み位置のロックが解除されてもよい。これにより、座当てを折畳み位置から使用位置に移動させるには、この折畳みシートを折畳む場合に操作する操作部を、その折畳む場合と同一の一側に操作することで、座当ての、折畳み位置のロックを解除する。そして、この折畳み位置のロックが解除された状態で、座当てを折畳み位置から使用位置に移動させる。このように、この折畳みシートを折畳む場合に操作する操作部を、その折畳む場合と同一の一側に操作することで、座当てを折畳み位置から使用位置に移動させることができる。
【０００８】
また、請求項３に記載の発明に係る乗物用の折畳みシートのように、請求項２に記載の折畳みシートにおいて、前記背当てをその折畳み位置にてロックする、背当て折畳み位置ロック手段と、そのロックを解除する、背当て折畳み位置ロック解除手段とを備え、前記操作部は、前記背当て折畳み位置ロック解除手段における、ロック解除のための操作部となって、その操作部を前記一側に操作することで、前記背当ての、折畳み位置のロックが解除されてもよい。これにより、この折畳みシートを使用するには、始めに、操作部を一側に操作することで、座当ておよび背当ての両者の、折畳み位置のロックを解除する。そして、この折畳み位置のロックが解除された状態で、座当てを折畳み位置から使用位置に移動させ、次いで、背当てを折畳み位置から使用位置に移動させる。このように、操作部を一側に操作することで、この折畳みシートの座当ておよび背当ての両者を使用位置にすることができる。
【０００９】
また、請求項４に記載の発明に係る乗物用の折畳みシートのように、請求項２または３に記載の折畳みシートにおいて、前記座当てを、その使用位置および折畳み位置に付勢する付勢手段を備えてもよい。この付勢手段は、前記ベースフレーム側に、第１の軸心回りに回動可能に取り付けられた第１のリンク部材と、前記座当て側に、第２の軸心回りに回動可能に取り付けられるとともに前記第１のリンク部材にスライド可能に取り付けられた第２のリンク部材と、前記第１の軸心と前記第２の軸心とが互いに離れるように付勢する付勢部材とからなる。そして、前記第１の軸心と前記第２の軸心とは、前記座当てが、その使用位置と折畳み位置との間の、所定の中間位置にて最も近づき、前記座当てが、前記中間位置から、前記座当ての使用位置および折畳み位置に向かうに連れて、遠ざかる。これにより、第１のリンク部材、第２のリンク部材および付勢部材からなる付勢手段によって、座当ては、使用位置と所定の中間位置との間にあると、使用位置側に付勢され、折畳み位置と所定の中間位置との間にあると、折畳み位置側に付勢される。したがって、座当ては、使用位置や折畳み位置に確実に到達し、使用位置や折畳み位置でのロックを的確に行うことができる。
【００１０】
また、請求項５に記載の発明に係る乗物用の折畳みシートのように、請求項４に記載の折畳みシートにおいて、前記座当て折畳み位置ロック手段は、前記第１および第２のリンク部材と、前記第１または第２のリンク部材に設けられた第１の被係止部と、前記座当てをその折畳み位置にロックするよう、前記座当ての折畳み位置における前記第１の被係止部を係止する第１の係止位置とその係止を解除する第１の解除位置との間を移動可能な第１の係止部材と、その第１の係止部材を前記第１の係止位置に移動させる第１の係止位置移動手段とからなり、前記座当て折畳み位置ロック解除手段は、前記操作部を前記一側に操作することで、前記第１の係止部材を、前記第１の係止位置から前記第１の解除位置に移動させるものであってもよい。これにより、座当てが折畳み位置にあるとき、第１または第２のリンク部材に設けられた第１の被係止部を、第１の係止部材が、その第１の係止位置にて係止することで、この座当ては、折畳み位置にロックされる。そして、操作部を一側に操作することで、第１の係止部材が第１の解除位置に移動し、座当ては、折畳み位置のロックが解除される。
【００１１】
また、請求項６に記載の発明に係る乗物用の折畳みシートのように、請求項１ないし５のいずれか１項に記載の折畳みシートにおいて、前記座当て使用位置ロック手段は、前記ベースフレーム側に設けられた案内部と、前記座当て側に回動可能に取り付けられた第３のリンク部材と、その第３のリンク部材に設けられて前記案内部にスライドおよび回動可能に係合する被案内部と、前記第３のリンク部材に設けられた第２の被係止部と、前記座当てをその使用位置にロックするよう、前記座当ての使用位置における前記第２の被係止部を係止する第２の係止位置とその係止を解除する第２の解除位置との間を移動可能な第２の係止部材と、その第２の係止部材を前記第２の係止位置に移動させる第２の係止位置移動手段とからなり、前記座当て使用位置ロック解除手段は、前記操作部を前記一側に操作することで、前記第２の係止部材を、前記第２の係止位置から前記第２の解除位置に移動させるものであってもよい。これにより、座当てが使用位置にあるとき、第３のリンク部材に設けられた第２の被係止部を、第２の係止部材が、その第２の係止位置にて係止することで、この座当ては、使用位置にロックされる。そして、操作部を一側に操作することで、第２の係止部材が第２の解除位置に移動し、座当ては、折畳み位置のロックが解除される。
【００１２】
また、請求項７に記載の発明に係る乗物用の折畳みシートのように、請求項４または５に記載の折畳みシートにおいて、前記座当て使用位置ロック手段は、前記第１および第２のリンク部材と、前記第１または第２のリンク部材に設けられた被係止部と、前記座当てをその使用位置にロックするよう、前記座当ての使用位置における前記被係止部を係止する係止位置とその係止を解除する解除位置との間を移動可能な係止部材と、その係止部材を前記係止位置に移動させる係止位置移動手段とからなり、前記座当て使用位置ロック解除手段は、前記操作部を前記一側に操作することで、前記係止部材を、前記係止位置から前記解除位置に移動させるものであってもよい。これにより、座当てが使用位置にあるとき、第１または第２のリンク部材に設けられた被係止部を、係止部材が、その係止位置にて係止することで、この座当ては、使用位置にロックされる。そして、操作部を一側に操作することで、係止部材が解除位置に移動し、座当ては、使用位置のロックが解除される。
【００１３】
また、請求項８に記載の発明に係る乗物用の折畳みシートのように、請求項１ないし７のいずれか１項に記載の折畳みシートにおいて、前記操作部は、ペダルからなるのが望ましい。これにより、ペダルを踏むことによって、ロックが解除される。
【００１４】
【発明の実施の形態】
以下、この発明に係る乗物用の折畳みシートの実施の形態を図面に基づいて説明する。
【００１５】
図１ないし図１４は、本発明に係る乗物用の折畳みシートの一実施の形態を示す。図中符号１は、バス、列車、船舶等の乗物内に配備されて、例えば、車椅子のためのスペースを確保するための、乗物用の折畳みシートである。この折畳みシート１は、前記乗物の床面２上（図示実施の形態においては、床面２および壁面２ａ）に取り付けられるベースフレーム３と、座当て４と、背当て５とを備えている。そして、背当て５は、その使用位置と、座当て４側に折畳まれる折畳み位置との間を移動可能となるようにして、座当て４に取り付けられ、また、座当て４は、その使用位置と、背当て５とともに一方側（図示実施の形態においては、壁面２ａ側）に折畳まれる折畳み位置との間を移動可能となるようにして、ベースフレーム３に取り付けられる。具体的には、背当て５は、座当て４に、軸心５ａ回りに回動可能に取り付けられることで、その使用位置と、折畳み位置との間を移動可能となっている。同様にして、座当て４は、ベースフレーム３に、軸心４ａ回りに回動可能に取り付けられることで、その使用位置と、折畳み位置との間を移動可能となっている。なお、図１においては、実線が、背当て５および座当て４の、使用位置を示しており、また、一点鎖線が、背当て５および座当て４の、折畳み位置を示している。また、図２においては、実線が、背当て５および座当て４の、使用位置を示しており、また、一点鎖線が、背当て５の折畳み位置を示している。
【００１６】
そして、折畳みシート１は、座当て４を、その使用位置および折畳み位置に付勢する付勢手段６を備えている。この付勢手段６は、図３および図５に示すように、第１のリンク部材６ａと、第２のリンク部材６ｂと、付勢部材としてのコイルスプリング６ｃとからなる。ここで、第１のリンク部材６ａは、その一端側が、ベースフレーム３側に、第１の軸心６ｄ回りに回動可能に取り付けられている。また、第２のリンク部材６ｂは、その一端側が、座当て４側に、第２の軸心６ｅ回りに回動可能に取り付けられるとともに、他端側が、第１のリンク部材６ａの他端側にスライド可能に取り付けられている。すなわち、筒状に形成された第２のリンク部材６ｂは、ロッド状に形成された第１のリンク部材６ａを、内部に導くことで、第１のリンク部材６ａに対してスライド可能となっている。こうして、ベースフレーム３と、座当て４と、第１のリンク部材６ａと、第２のリンク部材６ｂとは、リンク機構を構成することになる。また、コイルスプリング６ｃは、第１および第２のリンク部材６ａ、６ｂに嵌められて、第１の軸心６ｄと第２の軸心６ｅとが互いに離れるように付勢している。このとき、第１の軸心６ｄと第２の軸心６ｅとは、座当て４が、その使用位置と折畳み位置との間の、所定の中間位置（図示実施の形態においては、第２の軸心６ｅが、第１の軸心６ｄと座当て４が回動する前記軸心４ａとを結ぶ直線上に来るときの位置）にて最も近づき、座当て４が、前記中間位置から、座当て４の使用位置および折畳み位置に向かうに連れて、遠ざかるように配置されている。
【００１７】
さらに、折畳みシート１は、座当て４をその使用位置にてロックする、座当て使用位置ロック手段７と、そのロックを解除する、座当て使用位置ロック解除手段８とを備え、また、座当て４をその折畳み位置にてロックする、座当て折畳み位置ロック手段９と、そのロックを解除する、座当て折畳み位置ロック解除手段１０とを備えている。
【００１８】
ここで、座当て折畳み位置ロック手段９は、図７に示すように、前記第１および第２のリンク部材６ａ、６ｂと、第２のリンク部材６ｂに設けられた第１の被係止部としての被係止ピン９ａと、第１の係止部材９ｂと、第１の係止位置移動手段としての第１のトーションスプリング９ｃとからなる。第１の係止部材９ｂは、ベースフレーム３に、軸心９ｄ回りに回動可能に取り付けられて、座当て４をその折畳み位置にロックするよう、座当て４の折畳み位置における被係止ピン９ａを係止する第１の係止位置（図７参照）とその係止を解除する第１の解除位置（図８参照）との間を移動可能となっている。そして、第１のトーションスプリング９ｃは、第１の係止部材９ｂを前記第１の係止位置に移動させるものであり、図７および図８において、第１の係止部材９ｂを反時計回り方向に付勢している。
【００１９】
また、座当て使用位置ロック手段７は、図３に示すように、ベースフレーム３側に設けられた案内部としての案内溝７ａと、第３のリンク部材７ｂと、被案内部７ｃと、第２の被係止部７ｄと、第２の係止部材７ｅと、第２の係止位置移動手段としての第２のトーションスプリング７ｆとからなる。第３のリンク部材７ｂは、棒材からなり、折り曲げ形成された一端部が、座当て４に、軸心７ｇ回りに回動可能に取り付けられている。被案内部７ｃは、第３のリンク部材７ｂに設けられた、折り曲げ形成された他端部の先端部分からなり、前記案内溝７ａにスライドおよび回動可能に係合している。こうして、ベースフレーム３と、座当て４と、第３のリンク部材７ｂとで、リンク機構を構成することになる。また、第２の被係止部７ｄは、第３のリンク部材７ｂに設けられた、前記折り曲げ形成された他端部の基端部分からなっている（図４参照）。第２の係止部材７ｅは、ベースフレーム３に、軸心７ｈ回りに回動可能に取り付けられて、座当て４をその使用位置にロックするよう、座当て４の使用位置における第２の被係止部７ｄを係止する第２の係止位置（図３参照）とその係止を解除する第２の解除位置（図６参照）との間を移動可能となっている。そして、第２のトーションスプリング７ｆは、第２の係止部材７ｅを第２の係止位置に移動させるものであり、図３および図６において、第２の係止部材７ｅを時計回り方向に付勢している。
【００２０】
座当て折畳み位置ロック解除手段１０は、ペダルからなる操作部Ｓと、その操作部Ｓの動きを第１の係止部材９ｂに伝達する、第１の伝達部材としての第１のワイヤＷ１および第２の伝達部材としての第２のワイヤＷ２とからなる。ここで、第１のワイヤＷ１は、第１の係止部材９ｂと第２の係止部材７ｅとの間に渡され、第２のワイヤＷ２は、第２の係止部材７ｅと操作部Ｓとの間に渡されている。こうして、操作部Ｓが一側に操作されると（つまり、下側に押し踏み操作されると）、第１および第２のワイヤＷ１、Ｗ２並びに第２の係止部材７ｅを介して、第１の係止部材９ｂは、第１の係止位置（図７参照）から第１の解除位置（図８参照）に移動し、座当て４の折畳み位置のロックが解除される。
【００２１】
座当て使用位置ロック解除手段８は、前記操作部Ｓと、その操作部Ｓの動きを第２の係止部材７ｅに伝達する第２の伝達部材としての前記第２のワイヤＷ２とからなる。こうして、操作部Ｓが一側に操作されると（つまり、下側に押し踏み操作されると）、第２のワイヤＷ２を介して、第２の係止部材７ｅは、第２の係止位置（図３参照）から第２の解除位置（図６参照）に移動し、座当て４の使用位置のロックが解除される。なお、押し踏み操作された操作部Ｓから足を離すと、その操作部Ｓは、操作部付勢手段としてのトーションスプリングＳ１に付勢されて復帰し、また、第１の係止部材９ｂ（第２の係止部材７ｅ）は、第１のトーションスプリング９ｃ（第２のトーションスプリング７ｆ）に付勢されて、第１の解除位置（第２の解除位置）から第１の係止位置（第２の係止位置）に移動する。
【００２２】
また、折畳みシート１は、背当て５をその使用位置にてロックする、背当て使用位置ロック手段１１と、そのロックを解除する、背当て使用位置ロック解除手段１２とを備え、また、背当て５をその折畳み位置にてロックする、背当て折畳み位置ロック手段１３と、そのロックを解除する、背当て折畳み位置ロック解除手段１４とを備えている。
【００２３】
ここで、背当て使用位置ロック手段１１は、図９に示すように、背当て５側に設けられた被係止部材としてのロックプレート１１ａと、そのロックプレート１１ａに形成された第３の被係止部１１ｂと、座当て４側に設けられた他の案内部としての案内孔１１ｃと、係止部材としての係止ピン１１ｄと、その係止ピン１１ｄを保持するとともに後述するインナーワイヤＸ２が取り付けられるワイヤターミナル１１ｅと、係止位置移動手段としてのコイルスプリング１１ｆとからなる。ここで、ロックプレート１１ａは、背当て５と一体となって、座当て４に対して、前記軸心５ａ回りに回動可能に支持され、また、第３の被係止部１１ｂは、ロックプレート１１ａの周側面に窪むように形成されている。案内孔１１ｃは、座当て４側のフレーム４ｂに固定されたブラケット１１ｇに、向かい合うようにして、対となって形成されている。係止ピン１１ｄは、前記案内孔１１ｃにスライド可能に係合して、背当て５をその使用位置にロックするよう、背当て５の使用位置における第３の被係止部１１ｂを係止する係止位置（図９参照）とその係止を解除する解除位置（図１１参照）との間を移動可能となっている。そして、コイルスプリング１１ｆは、ワイヤターミナル１１ｅを介して、その係止ピン１１ｄを係止位置に移動させるものであり、その係止ピン１１ｄをロックプレート１１ａ側に付勢している。
【００２４】
背当て折畳み位置ロック手段１３は、図１２に示すように、前記ロックプレート１１ａと、そのロックプレート１１ａに設けられた第４の被係止部１３ａと、前記案内孔１１ｃと、前記係止ピン１１ｄと、前記ワイヤターミナル１１ｅと、前記コイルスプリング１１ｆとからなる。ここで、第４の被係止部１３ａは、第３の被係止部１１ｂと同様に、ロックプレート１１ａの周側面に窪むように形成されている。そして、前記背当て使用位置ロック手段１１に示す、係止ピン１１ｄの係止位置（図９参照）は、背当て折畳み位置ロック手段１３においては、背当て５をその折畳み位置にロックするよう、背当て５の折畳み位置における第４の被係止部１３ａを係止する係止位置（図１２参照）となっている。同様に、前記背当て使用位置ロック手段１１に示す、係止ピン１１ｄの解除位置（図１１参照）は、背当て折畳み位置ロック手段１３においては、第４の被係止部１３ａとの係止を解除する解除位置（図１３参照）となっている。
【００２５】
背当て使用位置ロック解除手段１２および背当て折畳み位置ロック解除手段１４は、いずれも、前述の操作部Ｓと、その操作部Ｓの動きを前記ワイヤターミナル１１ｅを介して前記係止ピン１１ｄに伝達する、伝達部材としてのワイヤ装置Ｘとからなる。ここでワイヤ装置Ｘは、アウターワイヤＸ１と、そのアウターワイヤＸ１に挿通されるインナーワイヤＸ２とからなり、このインナーワイヤＸ２が、ワイヤターミナル１１ｅと操作部Ｓとの間に渡されている。こうして、操作部Ｓが一側に操作されると（つまり、下側に押し踏み操作されると）、ワイヤ装置Ｘおよびワイヤターミナル１１ｅを介して、係止ピン１１ｄは、係止位置（図９および図１２参照）から解除位置（図１１および図１３参照）に移動し、背当ての使用位置や折畳み位置のロックが解除される。なお、押し踏み操作された操作部Ｓから足を離すと、その操作部Ｓは、前記トーションスプリングＳ１に付勢されて復帰し、また、係止ピン１１ｄは、コイルスプリング１１ｆに付勢されて、解除位置から係止位置に移動する。
【００２６】
このようにして、背当て使用位置ロック解除手段１２と前述の座当て使用位置ロック解除手段８とは、ロック解除のための共通の操作部Ｓを有し、その操作部Ｓを一側に操作することで（つまり、下側に押し踏み操作することで）、背当て５および座当て４の両者の、使用位置のロックが解除される。さらに、操作部Ｓは、背当て折畳み位置ロック解除手段１４と前述の座当て折畳み位置ロック解除手段１０における、ロック解除のための操作部となって、その操作部Ｓを前記一側に操作することで、背当て５および座当て４の両者の、折畳み位置のロックが解除される。
【００２７】
そして、図１４に示すように、座当て４の裏側、つまりアンダーカバー４ｃの裏面には、取っ手４ｄおよび、降車の意思を運転手に伝えるための降車スイッチ操作部材４ｅが取り付けられており、この折畳みシート１が折畳まれてできたスペースに導かれた、車椅子に乗った人の便宜が図られている。
【００２８】
また、この折畳みシート１には、肘掛け１ａが設けられており、この肘掛け１ａは、背当て５が座当て４側に折畳まれると、それと連動して、座当て４側に移動するようになっている。
【００２９】
次に、以上の構成からなる乗物用の折畳みシート１の作用効果について説明する。背当て５および座当て４が使用位置にあるとき、この折畳みシート１を折畳むには、始めに、操作部Ｓを一側に操作することで（つまり、下側に押し踏み操作することで）、背当て５および座当て４の両者の、使用位置のロックを解除する（図１１、図６参照）。そして、この使用位置のロックが解除された状態で、背当て５を座当て４側に折畳み、次いで、座当て４を背当て５とともに一方側（つまり、壁面２ａ側）に折畳む。このように、操作部Ｓを一側に操作することで、この折畳みシート１の背当て５および座当て４の両者を折畳む、つまり、折畳み位置にすることができる。したがって、背当て５および座当て４が使用位置にロックされるにも拘らず（図９、図３参照）、操作部Ｓを一側に操作することで、この折畳みシート１を簡単に折畳むことができる。
【００３０】
反対に、この折畳みシート１を使用するには、つまり、座当て４を折畳み位置から使用位置に移動させ、背当て５を折畳み位置から使用位置に移動させるには、始めに、操作部Ｓを一側に操作することで、座当て４および背当て５の両者の、折畳み位置のロックを解除する（図８、図１３参照）。そして、この折畳み位置のロックが解除された状態で、座当て４を折畳み位置から使用位置に移動させ、次いで、背当て５を折畳み位置から使用位置に移動させる。このように、操作部Ｓを一側に操作することで、この折畳みシート１の座当て４および背当て５の両者を使用位置にすることができる。したがって、座当て４および背当て５が折畳み位置にロックされるにも拘らず（図７、図１２参照）、操作部Ｓを一側に操作することで、この折畳みシート１を簡単に使用位置にすることができる。しかも、操作部Ｓは、この折畳みシート１を折畳む場合と、使用位置にする場合とで、共通の操作部となっており、また、操作する方向も同一であるので、いずれの場合にも、この操作部Ｓを間違えることなく操作することができる。
【００３１】
また、この折畳みシート１は、操作部Ｓを一側に操作することで、つまり、ペダルからなる操作部Ｓを踏むことによって、ロックが解除される。したがって、操作部Ｓを操作する者が、腰を屈める必要がなく、容易にロックを解除することができ、その操作性が良好となる。
【００３２】
また、第１のリンク部材６ａ、第２のリンク部材６ｂおよびコイルスプリング６ｃからなる、付勢手段６によって、座当て４は、使用位置と所定の中間位置との間にあると、使用位置側に付勢され、折畳み位置と所定の中間位置との間にあると、折畳み位置側に付勢される。したがって、座当て４は、使用位置や折畳み位置に確実に到達し、使用位置や折畳み位置でのロックを的確に行うことができる。そして、座当て４を使用位置や折畳み位置に付勢するために使われるこれら第１および第２のリンク部材６ａ、６ｂが、座当て折畳み位置ロック手段９の一部としても使用されており、全体の構造が簡単化されている。
【００３３】
なお、本発明は、上述した実施の形態に限定されるわけではなく、その他種々の変更が可能である。例えば、座当て折畳み位置ロック手段９における、被係止ピン９ａは、第２のリンク部材６ｂに設けられなくとも、第１のリンク部材６ａに設けられていてもよい。
【００３４】
また、座当て使用位置ロック手段７は、第３のリンク部材７ｂ等からならなくとも、座当て折畳み位置ロック手段９と同様の構造であってもよい。すなわち、座当て使用位置ロック手段７は、図１５に示すように、第１および第２のリンク部材６ａ、６ｂと、第１または第２のリンク部材６ａ、６ｂに設けられた被係止部Ｊ（図示実施の形態においては、第１のリンク部材６ａに設けられた被係止部Ｊ）と、座当て４をその使用位置にロックするよう、座当て４の使用位置における前記被係止部Ｊを係止する係止位置とその係止を解除する解除位置との間を移動可能な係止部材Ｋと、その係止部材Ｋを前記係止位置に移動させる係止位置移動手段としてのトーションスプリングＬとからなってもよい。すなわち、係止部材Ｋは、ベースフレーム３に、軸心Ｋ１回りに回動可能に取り付けられて、座当て４をその使用位置にロックするよう、座当て４の使用位置における被係止部Ｊを係止する係止位置（図１５参照）とその係止を解除する解除位置（図１６参照）との間を移動可能となっている。そして、トーションスプリングＬは、係止部材Ｋを前記係止位置に移動させるものであり、図１５および図１６において、係止部材Ｋを時計回り方向に付勢している。こうして、座当て４が使用位置にあるとき、被係止部Ｊを、係止部材Ｋが、その係止位置にて係止することで、この座当て４は、使用位置にロックされる。したがって、この構造により、座当て４を使用位置や折畳み位置に付勢するために使われる第１および第２のリンク部材６ａ、６ｂが、座当て使用位置ロック手段７の一部としても使用される。そして、この座当て使用位置ロック手段７に対応する座当て使用位置ロック解除手段８は、操作部Ｓと、その操作部Ｓの動きを係止部材Ｋに伝達する伝達部材としてのワイヤＭとからなる。ここで、操作部Ｓが一側に操作されると、ワイヤＭを介して、係止部材Ｋは、係止位置（図１５参照）から解除位置（図１６参照）に移動し、座当て４の使用位置のロックが解除される。
【００３５】
また、背当て折畳み位置ロック手段１３および背当て折畳み位置ロック解除手段１４はなくともよい。この場合、この折畳みシート１が折畳まれたとき、背当て５は、座当て４と、例えば壁面２ａとの間で保持される。
【００３６】
また、操作部Ｓは、ペダルからならなくとも、手で操作することができるハンドルあるいはレバー等からなっていてもよい。
【００３７】
【発明の効果】
以上、詳述したところから明らかなように、この発明に係る乗物用の折畳みシートによれば、次の効果がある。
【００３８】
請求項１に記載された乗物用の折畳みシートによれば、操作部を一側に操作することで、背当ておよび座当ての両者を折畳むことができるので、背当ておよび座当てが使用位置にロックされるにも拘らず、この折畳みシートを簡単に折畳むことができる。
【００３９】
また、請求項２に記載された乗物用の折畳みシートによれば、請求項１の効果に加えて、この折畳みシートを折畳む場合の操作部を、その折畳む場合と同一の一側に操作することで、座当てを、折畳み位置から使用位置に移動させることができる。
【００４０】
また、請求項３に記載された乗物用の折畳みシートによれば、請求項２の効果に加えて、操作部を一側に操作することで、座当ておよび背当ての両者を使用位置にすることができるので、座当ておよび背当てが折畳み位置にロックされるにも拘らず、この折畳みシートを簡単に使用位置にすることができる。
【００４１】
また、請求項４に記載された乗物用の折畳みシートによれば、請求項２または３の効果に加えて、座当ては、使用位置や折畳み位置に確実に到達するので、使用位置や折畳み位置でのロックを的確に行うことができる。
【００４２】
また、請求項５に記載された乗物用の折畳みシートによれば、請求項４の効果に加えて、座当てを使用位置や折畳み位置に付勢するために使われる第１および第２のリンク部材が、座当て折畳み位置ロック手段の一部としても使用される。
【００４３】
また、請求項６に記載された乗物用の折畳みシートによれば、請求項１ないし５のいずれか１項の効果に加えて、第３のリンク部材に設けられた第２の被係止部を、第２の係止部材が、その第２の係止位置にて係止することで、座当てを、使用位置にロックすることができ、また、操作部を一側に操作することで、第２の係止部材が第２の解除位置に移動し、座当ての折畳み位置のロックを解除することができる。
【００４４】
また、請求項７に記載された乗物用の折畳みシートによれば、請求項４または５の効果に加えて、座当てを使用位置や折畳み位置に付勢するために使われる第１および第２のリンク部材が、座当て使用位置ロック手段の一部としても使用される。
【００４５】
また、請求項８に記載された乗物用の折畳みシートによれば、請求項１ないし７のいずれか１項の効果に加えて、ペダルを踏むことによって、容易にロックを解除することができる。
【図面の簡単な説明】
【図１】この発明に係る乗物用の折畳みシートの一実施の形態の、正面図である。
【図２】同じく、側面図である。
【図３】同じく、座当て使用位置でのロック状態を示す要部拡大図である。
【図４】同じく、図３における、一部を破断したＡ矢視図である。
【図５】同じく、図３におけるＢ−Ｂ線による要部断面図である。
【図６】同じく、座当て使用位置でのロック解除状態を示す要部拡大図である。
【図７】同じく、座当て折畳み位置でのロック状態を示す要部拡大図である。
【図８】同じく、座当て折畳み位置でのロック解除状態を示す要部拡大図である。
【図９】同じく、背当て使用位置でのロック状態を示す要部拡大図である。
【図１０】同じく、図９における、一部を破断したＣ矢視図である。
【図１１】同じく、背当て使用位置でのロック解除状態を示す要部拡大図である。
【図１２】同じく、座当て折畳み位置でのロック状態を示す要部拡大図である。
【図１３】同じく、座当て折畳み位置でのロック解除状態を示す要部拡大図である。
【図１４】座当ての裏側を示す拡大図である。
【図１５】この発明に係る乗物用の折畳みシートの他の実施の形態の、座当て使用位置でのロック状態を示す要部拡大図である。
【図１６】同じく、座当て使用位置でのロック解除状態を示す要部拡大図である。
【符号の説明】
１  折畳みシート                  ２  床面
３  ベースフレーム                ４  座当て
５  背当て                        ６  付勢手段
６ａ  第１のリンク部材            ６ｂ  第２のリンク部材
６ｃ  コイルスプリング（付勢部材）      ６ｄ  第１の軸心
６ｅ  第２の軸心                  ７  座当て使用位置ロック手段
７ａ  案内溝（案内部）            ７ｂ  第３のリンク部材
７ｃ  被案内部                    ７ｄ  第２の被係止部
７ｅ  第２の係止部材
７ｆ  第２のトーションスプリング（第２の係止位置移動手段）
８  座当て使用位置ロック解除手段
９  座当て折畳み位置ロック手段
９ａ  被係止ピン（第１の被係止部）      ９ｂ  第１の係止部材
９ｃ  第１のトーションスプリング（第１の係止位置移動手段）
１０  座当て折畳み位置ロック解除手段
１１  背当て使用位置ロック手段
１２  背当て使用位置ロック解除手段
１３  背当て折畳み位置ロック手段
１４  背当て折畳み位置ロック解除手段
Ｊ  被係止部
Ｋ  係止部材
Ｌ  トーションスプリング（係止位置移動手段）
Ｓ  操作部
【図１】
0003784625.tif 000002
【図２】
0003784625.tif 000003
【図３】
0003784625.tif 000004
【図４】
0003784625.tif 000005
【図５】
0003784625.tif 000006
【図６】
0003784625.tif 000007
【図７】
0003784625.tif 000008
【図８】
0003784625.tif 000009
【図９】
0003784625.tif 000010
【図１０】
0003784625.tif 000011
【図１１】
0003784625.tif 000012
【図１２】
0003784625.tif 000013
【図１３】
0003784625.tif 000014
【図１４】
0003784625.tif 000015
【図１５】
0003784625.tif 000016
【図１６】
0003784625.tif 000017